(57)【要約】【課題】良好なしっとり感と肌触り感を付与することができ、かつ紙力の低下を抑制することができる衛生紙用柔軟剤の提供。【解決手段】本発明の衛生紙用柔軟剤は、式（１）で表されるアルギニン誘導体（ａ）１〜３０質量％、および多価アルコール（ｂ）７０〜９９質量％からなる。2011202318.tif 000007（Ｒ1、Ｒ2はそれぞれ水素原子またはヒドロキシプロピル基である。但し、Ｒ1およびＲ2が共に水素原子となる場合は除外され、Ｒ1およびＲ2の少なくとも１つはヒドロキシプロピル基である。Ｒ3は水素原子、アルカリ金属、アンモニウムまたは有機アンモニウムである。）【選択図】なし【特許請求の範囲】
【請求項１】
式（１）で表されるアルギニン誘導体（ａ）１〜３０質量％、および多価アルコール（ｂ）７０〜９９質量％からなる衛生紙用柔軟剤。
【化１】
2011202318.tif 000006
（Ｒ1、Ｒ2はそれぞれ水素原子またはヒドロキシプロピル基である。但し、Ｒ1およびＲ2が共に水素原子となる場合は除外され、Ｒ1およびＲ2の少なくとも１つはヒドロキシプロピル基である。Ｒ3は水素原子、アルカリ金属、アンモニウムまたは有機アンモニウムである。）
【発明の詳細な説明】
【技術分野】
【０００１】
本発明は衛生紙用柔軟剤に関し、より詳細には、良好なしっとり感と肌触り感を付与することができ、かつ紙力の低下を抑制することができる衛生紙用柔軟剤に関する。
【背景技術】
【０００２】
衛生紙、とりわけティシューペーパー、トイレットペーパーは、肌に直接触れて使用されるので、より良好な肌触り感が求められている。さらに近年では、ティシューの使用頻度が高い花粉症患者が増加していることから、肌触り感だけでなく、さらにしっとり感が良好なティシューペーパーがより求められるようになってきている。
【０００３】
肌触り感およびしっとり感を向上させた紙として、特許文献１には多価アルコールや流動パラフィン等を含有する紙が開示され、特許文献２にはアミノ酸や多価アルコール等を含有する衛生紙用柔軟剤が開示されている。これらの方法では、しっとり感の向上は得られるものの、肌触り感の向上に関しては十分でない場合がある。また、肌触り感を向上させる方法として、特許文献３には多価アルコールのアルキレンオキシド付加体を含有する処理剤が開示されているが、肌触り感の向上は得られるものの、しっとり感に関しては十分でない場合がある。さらに、これらの方法では紙力が大きく低下するという問題がある。紙力の低下は、製造時に紙切れが発生するという操業性の低下、およびティシュー製品を一般消費者が使用する際に破れるという商品価値の低下を招くことになる。
【０００４】
肌触り感を向上させ、かつ紙力を改善する方法として、特許文献４にはモノステアリルトリメチルアンモニウム塩とジグリセリンを含有するティシュペーパーが記載されている。しかしながら、この方法ではしっとり感と肌触り感の向上は得られるが、紙力低下の抑制においては必ずしも十分であるとはいえない。
【先行技術文献】
【特許文献】
【０００５】
【特許文献１】特開平５−１５６５９６号公報
【特許文献２】特開２００２−１４６６９８号公報
【特許文献３】特開２００４−８４１１６号公報
【特許文献４】特開平７−１０９６９３号公報
【発明の概要】
【発明が解決しようとする課題】
【０００６】
本発明は、良好なしっとり感と肌触り感を付与することができ、かつ紙力の低下を抑制することができる衛生紙用柔軟剤を提供することを目的とする。
【課題を解決するための手段】
【０００７】
本発明者らは、上記従来の課題を解決するために鋭意検討した結果、特定のアルギニン誘導体と多価アルコールを組み合わせた衛生紙用柔軟剤が上記目的を達成できることを見出し、この知見に基づいて本発明を完成するに至った。
【０００８】
すなわち本発明は、式（１）で表されるアルギニン誘導体（ａ）１〜３０質量％、および多価アルコール（ｂ）７０〜９９質量％からなる衛生紙用柔軟剤である。
【０００９】
【化１】
2011202318.tif 000002
【００１０】
（Ｒ1、Ｒ2はそれぞれ水素原子またはヒドロキシプロピル基である。但し、Ｒ1およびＲ2が共に水素原子となる場合は除外され、Ｒ1およびＲ2の少なくとも１つはヒドロキシプロピル基である。Ｒ3は水素原子、アルカリ金属、アンモニウムまたは有機アンモニウムである。）
【発明の効果】
【００１１】
本発明の衛生紙用柔軟剤によれば、良好なしっとり感と肌触り感、さらに十分な紙力を有する衛生紙を得ることができる。
【発明を実施するための形態】
【００１２】
以下、本発明の実施形態を説明する。本発明の衛生紙用柔軟剤は、アルギニン誘導体（ａ）、および多価アルコール（ｂ）からなる。
【００１３】
〔アルギニン誘導体（ａ）〕
本発明に用いるアルギニン誘導体は下記の式（１）で表される。
【００１４】
【化２】
2011202318.tif 000003
【００１５】
式中、Ｒ1、Ｒ2はそれぞれ水素原子またはヒドロキシプロピル基である。但し、Ｒ1およびＲ2が共に水素原子となる場合は除外され、Ｒ1およびＲ2の少なくとも１つはヒドロキシプロピル基である。肌触り感向上の理由から、Ｒ1およびＲ2がいずれもヒドロキシプロピル基であることがより好ましい。
【００１６】
式中、Ｒ3は水素原子、アルカリ金属、アンモニウムまたは有機アンモニウムである。アルカリ金属としては、リチウム、ナトリウム、カリウム、ルビジウム等が挙げられる。有機アンモニウムは有機アミン由来のアンモニウムであり、有機アミンとしては、モノエタノールアミン、ジエタノールアミン、トリエタノールアミンなどのアルカノールアミン、メチルアミン、ジメチルアミン、トリエチルアミン、エチルアミン、ジエチルアミン、トリエチルアミン等などのアルキルアミンが挙げられる。
本発明においては、これらアルギニン誘導体のうちから１種を単独で又は２種以上を組み合わせて用いることができる。
【００１７】
本発明の上記式（１）で表されるアルギニン誘導体は、アルギニンとプロピレンオキシドを水溶媒中、無触媒で反応させることにより得ることができる。具体的には、所定濃度のアルギニン水溶液を調製し、ｐＨ無調整で、加温しながら、撹拌下、プロピレンオキシドを滴下しながら反応を行うことで、式（１）で表されるアルギニン誘導体が得られる。但し、Ｒ3がアルカリ金属、アンモニウムまたは有機アンモニウムである場合、アルギニンとプロピレンオキシドとの反応の後、水酸化ナトリウム、アンモニア、有機アミン等のアルカリ剤と反応させることにより、式（１）で表されるアルギニン誘導体を得ることができる。また、得られたアルギニン誘導体を種々の有機酸や無機酸でｐＨ調製をすることで、アルギニン誘導体の酸付加塩としてもよい。
【００１８】
〔多価アルコール（ｂ）〕
本発明に用いる多価アルコールとしては、２価以上で水溶性であれば特に限定はされない。具体的には、グリセリン、ジグリセリン、エチレングリコール、ポリエチレングリコール、プロピレングリコール、ジプロピレングリコール、１，３−ブチレングリコール、キシリトール、ソルビトール等が挙げられる。好ましくは、グリセリン、ジグリセリン、ソルビトールである。これらは単独あるいは２種以上を混合して用いることができる。
【００１９】
〔衛生紙用柔軟剤〕
本発明の衛生紙用柔軟剤は、上記式（１）で表されるアルギニン誘導体（ａ）１〜３０質量％、および多価アルコール（ｂ）７０〜９９質量％からなり、アルギニン誘導体（ａ）および多価アルコール（ｂ）の合計量が１００質量％である。アルギニン誘導体（ａ）が１質量％未満であり、多価アルコール（ｂ）が９９質量％を超える場合には、良好な肌触りが得られないことがあり、さらに紙力の低下が大きくなることがある。また、アルギニン誘導体（ａ）が３０質量％を超え、多価アルコール（ｂ）が７０質量％未満である場合には、十分なしっとり感が得られないことがある。好ましくは、アルギニン誘導体（ａ）が５〜２５質量％、および多価アルコール（ｂ）７５〜９５質量％である。
【００２０】
本発明の衛生紙用柔軟剤は、取扱いを良くする等の目的のために、水等の溶媒を用いて、３０〜９０質量％に希釈して使用することができる。本発明の衛生紙用柔軟剤は、通常、衛生紙原紙に塗布される。具体的な塗布方法としては、転写印刷方式、コーター、スプレーなどが挙げられる。好ましくは転写印刷方式である。２枚重ねの加工が行われる衛生紙を製造する場合は、本発明の柔軟剤を衛生紙原紙に塗布後、２枚重ねの加工を行ってもよく、２枚重ね加工が行われた衛生紙原紙に本発明の柔軟剤を塗布してもよい。
【実施例】
【００２１】
以下、実施例および比較例を挙げて本発明をさらに具体的に説明する。まず、本発明の実施例で用いるアルギニン誘導体１〜２の合成例を示す。
【００２２】
〔合成例〕
アミン価が６４２であるＬ−アルギニンをイオン交換水に溶解し、オートクレーブに仕込み、オートクレーブ内の空気を乾燥窒素で置換した。次にオートクレーブを加温し、滴下装置によりプロピレンオキシドを徐々に滴下し、滴下終了後、さらに撹拌した。なお、アルギニン誘導体１とアルギニン誘導体２とでは、滴下するプロピレンオキシドの量が異なる。
反応終了後、乾燥窒素でバブリングして未反応のプロピレンオキシドを除去し、オートクレーブから反応生成物を取り出した。反応生成物に対し、固形分濃度が３５質量％になるようにイオン交換水を加え、アルギニン誘導体１〜２の水溶液を得た。アルギニン誘導体１〜２の３５質量％水溶液のそれぞれのアミン価を測定し、表１に示した。なお、アミン価は、「医薬部外品原料規格２００６（薬事日報社編）  別記II  規格各条」掲載の「Ｌ−アルギニン」の「定量法」に従って測定した。
【００２３】
〔柔軟剤希釈液１の調製例〕
攪拌機、冷却管、温度計を備えた３００ｍＬの４つ口フラスコにイオン交換水７６ｇ、グリセリン８７ｇおよびアルギニン誘導体１の３５質量％水溶液を３７ｇ仕込み、５０℃で３０分撹拌し、柔軟剤成分が５０質量％である柔軟剤希釈液１を得た。
【００２４】
〔柔軟剤希釈液２〜７の調製例〕
表２に示す化合物を表２に示す割合で用いて、柔軟剤希釈液１の調製例と同様の操作を行い、柔軟剤成分が５０質量％である柔軟剤希釈液２〜７を得た。
【００２５】
〔柔軟紙の調製〕
柔軟剤希釈液１をハンドスプレーにてティシューペーパー１枚（市販されている２枚１組を１枚とする）に有効分換算で約２０質量％になるように噴霧し、柔軟剤希釈液１を塗布したティシューペーパーを合計３０枚用意した。噴霧前後のティシューの質量差から求めた柔軟剤希釈液１の平均塗布量は噴霧前のティシュー重量に対して４０. ６質量％（有効分換算で２０. ３質量％）であった。同様に、柔軟剤希釈液２〜７についても、それぞれの希釈液をティシューペーパー１枚に噴霧し、噴霧したティシューペーパーを合計３０枚ずつ用意し、各希釈液について有効分換算で平均塗布量を求め、その結果を表２に記載した。各柔軟剤が塗布されたティシューを室温２３℃、湿度３０％の恒温恒湿室で４８時間保管した後に以下の評価を行った。
【００２６】
〔肌触り感およびしっとり感の評価〕
調湿したティシュー３枚を重ねて女性評価者が片手で握り、肌触り感およびしっとり感についてそれぞれ以下の評価基準に従い官能評価を行った。評価者１０人の評価値合計を求めて、評価値合計が２０点以上であり、かつ１点をつけた評価者がいないものをそれぞれ良好である（○）と評価し、それ以外を不良（×）と評価した。その結果を表２に記載した。
【００２７】
（肌触り感官能評価）（評価値）
・肌触りが非常によい：３点
・肌触りがよい：      ２点
・肌触りがよくない：  １点
【００２８】
（しっとり感官能評価）  （評価値）
・非常にしっとりしている：３点
・しっとりしている：      ２点
・しっとりしていない：    １点
【００２９】
〔紙力の評価〕
調湿したティシューを１２０×１５ｍｍに裁断し、引張圧縮試験機（（株）今田製作所製ＳＶ−２０１−０−ＳＨ）を用いて紙の繊維方向の引張り強度を測定した。各例で５回測定を行って平均を求め、その平均値を表２に記載した。柔軟剤塗布前のティシューの引張り強度（２. ２Ｎ）に対して紙力低下が２５％以下（１. ７Ｎ以上）である場合を紙力良好（○）と評価し、紙力低下が２５％を超える（１. ７Ｎ未満）場合を紙力不十分（×）と評価した。
【００３０】
（引張り強度）紙力低下が２５％以下（１. ７Ｎ以上）：紙力良好（○）
紙力低下が２５％を超える（１. ７Ｎ未満）：紙力不十分（×）
【００３１】
【表１】
2011202318.tif 000004
【００３２】
【表２】
2011202318.tif 000005
【００３３】
表２に示すように、実施例１〜３の衛生紙用柔軟剤を用いることにより、いずれも良好なしっとり感、肌触り感および十分な引張り強度を有するティシューペーパーを得ることができる。特に、式（１）におけるＲ1およびＲ2がいずれもヒドロキシプロピル基であるアルギニン誘導体２を含有する実施例２，３の評価が良好である。
【００３４】
これに対して比較例１では、本発明のアルギニン誘導体を用いず、グリセリンのみを塗布しているので、肌触り感が不十分であり、紙力の低下も大きい。比較例２は、本発明のアルギニン誘導体を用いずにアルギニンを用いているので、肌触り感が不十分であり、紙力の低下も大きい。比較例３は、本発明のアルギニン誘導体を用いずに多価アルコールのアルキレンオキシド付加体を用いているので、肌触り感が多少改善されているものの、しっとり感が不十分であり、紙力の低下も大きい。さらに、比較例４は、本発明のアルギニン誘導体を用いているものの、アルギニン誘導体と多価アルコール（グリセリン）との質量比が本発明の規定範囲を超えているので、肌触り感およびしっとり感が共に不十分である。
【産業上の利用可能性】
【００３５】
本発明の衛生紙用柔軟剤によれば、紙に良好なしっとり感および肌触り感を付与することが可能であり、かつ紙力の低下を抑制することができるので、この柔軟剤を用いると、十分なしっとり感、肌触り感および紙力を有する紙を得ることができる。したがって、本発明の衛生紙用柔軟剤は、ティシューペーパー、トイレットペーパー、ペーパーナプキン、ペーパータオル、生理用紙、おむつ用紙などのような衛生紙に好適に用いられる。